(57)【要約】      （修正有）【課題】本体筐体およびディスプレイ筐体内のスペースを広く確保できるとともにコストを低減可能な携帯用情報機器を提供する。【解決手段】本体筐体１６内またはディスプレイ筐体１４内のいずれか一方には、被検出体４１（磁石）が配設され、本体筐体１６内またはディスプレイ筐体１４内のいずれか他方には、被検出体が０度位置にある状態と３６０度位置にある状態とをそれぞれ検出可能な２極ホールセンサ４２が配設されている。これにより本体筐体とディスプレイ筐体の裏面同士が対面する３６０度位置にある状態とを認識して、各種制御を行う。【選択図】図１
2017054353.tif 000002
【特許請求の範囲】
【請求項１】
表面に操作手段を有する本体筐体と、表面にディスプレイを有するディスプレイ筐体とをヒンジ機構によって回動可能に連結し、前記本体筐体と前記ディスプレイ筐体の表面同士が対面する０度位置から前記本体筐体と前記ディスプレイ筐体の表面が同一方向を向いて互いに平行する１８０度位置を経て、前記本体筐体と前記ディスプレイ筐体の裏面同士が対面する３６０度位置まで回動可能とした携帯用情報機器であって、
前記本体筐体内または前記ディスプレイ筐体内のいずれか一方には、被検出体が配設され、
前記本体筐体内または前記ディスプレイ筐体内のいずれか他方には、前記被検出体が前記０度位置にある状態と前記３６０度位置にある状態とをそれぞれ検出可能な２極センサが配設されていることを特徴とする携帯用情報機器。
【請求項２】
請求項１記載の携帯用情報機器において、
前記被検出体は、前記本体筐体内または前記ディスプレイ筐体内のいずれか一方の外周縁部に設けられていることを特徴とする携帯用情報機器。
【請求項３】
請求項１または２記載の携帯用情報機器において、
前記被検出体は、磁石であり、
前記２極センサは、前記磁石の磁束の向きを読み取り可能な２極ホールセンサであることを特徴とする携帯用情報機器。
【請求項４】
請求項３に記載の携帯用情報機器において、
前記磁石は、前記ディスプレイ筐体の内面に配設されており、
前記２極ホールセンサは、前記本体筐体内の基板に配設されていることを特徴とする携帯用情報機器。 
【発明の詳細な説明】
【技術分野】
【０００１】
本発明は、本体筐体とディスプレイ筐体との間をヒンジ機構によって回動可能に連結した携帯用情報機器に関する。
【背景技術】
【０００２】
近年、タッチパネル式の液晶ディスプレイを有し、物理的なキーボードを持たないタブレット型パーソナルコンピュータ（タブレット型ＰＣ、携帯用情報機器）が急速に普及している。タブレット型ＰＣは、持ち運びが容易で入力作業もタッチパネルによって行うことができるため操作が容易である。
【０００３】
しかしながら、タブレット型ＰＣは物理的なキーボードを持たないため、長文の入力作業等に支障を生じる場合がある。そこで、例えば特許文献１に開示されているように、ディスプレイを有するディスプレイ筐体を、キーボードを有する本体筐体に対して、１８０度を超えて３６０度まで回動可能としたコンバーチブルタブレット型パーソナルコンピュータ（コンバーチブル型ＰＣ）が提案されている。コンバーチブル型ＰＣは、通常のノートブック型パーソナルコンピュータ（ノート型ＰＣ）とタブレット型ＰＣの２通りの方法で使用可能であり、使用者の利便性が非常に高い。
【先行技術文献】
【特許文献】
【０００４】
【特許文献１】特開２０１４−６７３９６号公報
【発明の概要】
【発明が解決しようとする課題】
【０００５】
ところで、上記のようなコンバーチブル型ＰＣにおいては、ディスプレイ筐体が本体筐体に対して０度位置にある状態と３６０度位置にある状態とを認識し、各種制御が行われることがある。
【０００６】
例えば、コンバーチブル型ＰＣが０度位置と３６０度位置との２つの状態を認識するために、センサと被検出体とが２つずつ、それぞれディスプレイ筐体と本体筐体内とに配置される。具体的には、一のセンサと被検出体とによって０度位置を認識、他のセンサと被検出体とによって３６０度位置を認識するように構成することで２つの状態を認識可能である。しかしながら、このように被検出体とセンサとを２つずつ配置する場合、本体筐体およびディスプレイ筐体内のスペースが狭くなったり、コストが増加したりしてしまう。
【０００７】
本発明は、上記に鑑みてなされたものであって、本体筐体およびディスプレイ筐体内のスペースを広く確保できるとともにコストを低減可能な携帯用情報機器を提供することを目的とする。
【課題を解決するための手段】
【０００８】
上述した課題を解決し、目的を達成するために、本発明に係る携帯用情報機器は、表面に操作手段を有する本体筐体と、表面にディスプレイを有するディスプレイ筐体とをヒンジ機構によって回動可能に連結し、前記本体筐体と前記ディスプレイ筐体の表面同士が対面する０度位置から前記本体筐体と前記ディスプレイ筐体の表面が同一方向を向いて互いに平行する１８０度位置を経て、前記本体筐体と前記ディスプレイ筐体の裏面同士が対面する３６０度位置まで回動可能とした携帯用情報機器であって、前記本体筐体内または前記ディスプレイ筐体内のいずれか一方には、被検出体が配設され、前記本体筐体内または前記ディスプレイ筐体内のいずれか他方には、前記被検出体が前記０度位置にある状態と前記３６０度位置にある状態とをそれぞれ検出可能な２極センサが配設されていることを特徴とする。
【０００９】
このような構成によれば、本体筐体内またはディスプレイ筐体内のいずれか一方には、被検出体が配設され、本体筐体内またはディスプレイ筐体内のいずれか他方には、被検出体が０度位置にある状態と３６０度位置にある状態とをそれぞれ検出可能な２極センサが配設されているので、２つの状態を検出できる。そして、例えば、２極センサにより、本体筐体とディスプレイ筐体の表面同士が対面する０度位置にある状態と、本体筐体とディスプレイ筐体の裏面同士が対面する３６０度位置にある状態とを認識して、各種制御を行うことができる。このように２極センサを用いることにより、センサを２つ配置する必要がないので、筐体内の空間を広く確保できるとともにコストを低減可能である。
【００１０】
また、本発明に係る携帯用情報機器において、前記被検出体は、前記本体筐体内または前記ディスプレイ筐体内のいずれか一方の外周縁部に設けられているとよい。この場合、本体筐体内およびディスプレイ筐体内の収容空間を広くでき、例えばディスプレイや電池などの大きな部材を配置する空間を確保することが可能である。
【００１１】
また、本発明に係る携帯用情報機器において、前記被検出体は、磁石であり、前記２極センサは、前記磁石の磁束の向きを読み取り可能な２極ホールセンサであることが好ましい。この場合、磁石と、２極ホールセンサにより、本体筐体とディスプレイ筐体の表面同士が対面する０度位置にある状態と、本体筐体とディスプレイ筐体の裏面同士が対面する３６０度位置にある状態とを確実に検出できる。
【００１２】
また、本発明に係る携帯用情報機器において、前記磁石は、前記ディスプレイ筐体の内面に配設されており、前記２極ホールセンサは、前記本体筐体内の基板に配設されていてもよい。
【発明の効果】
【００１３】
本発明によれば、本体筐体およびディスプレイ筐体内のスペースを広く確保できるとともにコストを低減可能な携帯用情報機器を提供することができる。
【図面の簡単な説明】
【００１４】
【図１】図１は、本発明の実施形態に係る携帯用情報機器の斜視図である。
【図２】図２は、図１に示す携帯用情報機器のディスプレイ筐体を本体筐体に対して閉じて収納形態とした側面図である。
【図３】図３は、図２に示す状態からディスプレイ筐体を開き方向に回動させたノート型ＰＣでの使用形態を示す側面図である。
【図４】図４は、図３に示す状態からディスプレイ筐体をさらに開き方向に回動させて１８０度位置とした状態での側面図である。
【図５】図５は、図４に示す状態からディスプレイ筐体をさらに開き方向に回動させて３６０度位置とした状態での側面図である。
【図６】図６は、図２に示す状態の携帯用情報機器におけるＶＩ−ＶＩ断面の要部拡大図である。
【図７】図７は、図５に示す状態の携帯用情報機器におけるＶＩＩ−ＶＩＩ断面の要部拡大図である。
【発明を実施するための形態】
【００１５】
以下に添付図面を参照して、本発明に係る携帯用情報機器の好適な実施形態について詳細に説明する。なお、以下の実施形態により本発明が限定されるものではない。また、各図面において、同一または対応する要素には適宜同一の符号を付し、重複した説明を適宜省略する。
【００１６】
図１は、本発明の一実施形態に係る携帯用情報機器１０の斜視図であり、ヒンジ機構１２Ｌ，１２Ｒによってディスプレイ筐体１４を本体筐体１６から開いたノート型ＰＣでの使用形態を示す。図２は、図１に示す携帯用情報機器１０のディスプレイ筐体１４を本体筐体１６に対して閉じて収納形態とした側面図であり、図３は、図２に示す状態からディスプレイ筐体１４を開き方向に回動させたノート型ＰＣでの使用形態を示す側面図である。
【００１７】
また、図４は、図３に示す状態からディスプレイ筐体１４をさらに開き方向に回動させて１８０度位置とした状態での側面図であり、図５は、図４に示す状態からディスプレイ筐体１４をさらに開き方向に回動させて３６０度位置としたタブレット型ＰＣでの使用形態を示す側面図である。図６は、図２に示す状態の携帯用情報機器１０におけるＶＩ−ＶＩ断面の要部拡大図である。図７は、図５に示す状態の携帯用情報機器１０におけるＶＩＩ−ＶＩＩ断面の要部拡大図である。
【００１８】
本実施形態に係る携帯用情報機器１０は、ディスプレイ筐体１４を本体筐体１６に対して９０度〜１５０度程度の角度位置に回動させた状態ではノート型ＰＣとして好適に使用でき（図１および図３参照）、ディスプレイ筐体１４を本体筐体１６に対して３６０度位置まで回動させた状態ではタブレット型ＰＣとして好適に使用できる、いわゆるコンバーチブル型ＰＣである。本発明は、このようなコンバーチブル型ＰＣ以外、例えば、携帯電話、スマートフォンまたは電子手帳等の各種の携帯用情報機器に適用可能である。
【００１９】
以下、図１および図３に示すノート型ＰＣでの使用形態を基準とし、ディスプレイ筐体１４の表面（前面）１４ａに設けられたディスプレイ１８を視認しながら本体筐体１６の表面（上面）１６ａに設けられたキーボード２０やタッチパッド２１等の操作手段を操作する使用者から見た方向で、手前側を前側（前方）、奥側を後側（後方）と呼び、本体筐体１６の厚み方向を上下方向、幅方向を左右方向と呼んで説明する。
【００２０】
また説明の便宜上、ヒンジ機構１２Ｌ，１２Ｒによる本体筐体１６とディスプレイ筐体１４の角度位置について、ディスプレイ筐体１４を本体筐体１６に対して完全に閉じた状態とし、互いの表面１４ａ，１６ａ同士、つまりディスプレイ１８とキーボード２０が対面した姿勢を０度位置（図２参照）と呼ぶ。そして、この０度位置を基準としてディスプレイ筐体１４を開き方向に回動させる方向で角度を刻みながら説明するものとし、例えばディスプレイ１８とキーボード２０が同一方向（図４では上方）を向いて互いに平行した姿勢を１８０度位置と呼び、ディスプレイ１８とキーボード２０の背面同士、つまりディスプレイ筐体１４の裏面（背面）１４ｂと本体筐体１６の裏面（下面）１６ｂが対面した姿勢を３６０度位置（図５参照）と呼ぶものとする。
【００２１】
なお、０度位置、１８０度位置および３６０度位置等の表記については、本体筐体１６、ディスプレイ筐体１４またはヒンジ機構１２Ｌ，１２Ｒの構造により、角度数字の示す正確な角度位置から多少ずれた角度位置となることも当然生じるものであり、これらのずれた角度位置も含めて本実施形態では０度位置等と呼んで説明している。
【００２２】
図１〜図５に示すように、携帯用情報機器１０は、ディスプレイ１８を有するディスプレイ筐体１４と、キーボード２０を有する本体筐体１６とが左右一対のヒンジ機構１２Ｌ，１２Ｒ（以下、まとめて「ヒンジ機構１２」とも呼ぶ）によって０度位置から３６０度位置まで回動可能に連結されている。
【００２３】
本体筐体１６は扁平な箱状に形成され、その後端縁部にヒンジ機構１２が設けられるとともに、その内部に図示しない基板、演算装置およびメモリ等の各種電子部品が収納されている。本体筐体１６の表面１６ａにキーボード２０およびタッチパッド２１に代えて図示しないディスプレイを設け、このディスプレイにキーボードを表示したソフトウェアキーボードを操作手段として利用する構成であってもよい。
【００２４】
また、本体筐体１６の裏面１６ｂの前端側および後端側には、それぞれ、固定脚部２８が左右一対設けられている。固定脚部２８は、裏面１６ｂに固着され、収納形態時やノート型ＰＣの使用形態時に机の上等の載置面上に着地して携帯用情報機器１０を支持するゴム脚である。
【００２５】
そして、ディスプレイ筐体１４内には被検出体としての磁石４１が配設され、本体筐体１６内には２極ホールセンサ４２（２極センサ）が配設されている。本実施形態においては、磁石４１のＮ極とＳ極との向きは、本体筐体１６とディスプレイ筐体１４の表面１６ａ、１４ａ同士が対面する０度位置において、Ｎ極側が本体筐体１６側に向くように配設されている（図６参照）。この磁石４１は、ディスプレイ筐体１４内の外周縁部内面に配置されている。また、本実施形態では、一つの磁石４１がディスプレイ筐体１４内に配置されている。
【００２６】
２極ホールセンサ４２は、磁石４１が本体筐体１６の表面１６ａ側（本体筐体１６とディスプレイ筐体１４の表面１６ａ、１４ａ同士が対面する０度位置）にある状態と、本体筐体１６の裏面１６ｂ側（本体筐体１６とディスプレイ筐体１４の裏面１６ｂ、１４ｂ同士が対面する３６０度位置）にある状態と、をそれぞれ検出可能なものである。
【００２７】
具体的には、２極ホールセンサ４２は、磁石４１のＮ極およびＳ極による磁場によってコイルに生じる電圧を読み取ることによって、磁石４１が本体筐体１６の表面１６ａ側にある状態と本体筐体１６の裏面１６ｂ側にある状態とを読み取り、本体筐体１６とディスプレイ筐体１４の表面１６ａ、１４ａ同士が対面する０度位置と、本体筐体１６とディスプレイ筐体１４の裏面１６ｂ、１４ｂ同士が対面する３６０度位置との状態を認識する。この２極ホールセンサ４２は、本体筐体１６内の基板４３（回路基板）に配設されている（図６、７参照）。
【００２８】
図２〜図５に示すように、ヒンジ機構１２Ｌ（１２Ｒ）は、左右方向に延在するシャフト部材であるディスプレイ軸３０と、ディスプレイ軸３０と平行して設置されたシャフト部材である本体軸３１と、ディスプレイ軸３０および本体軸３１を回転可能に軸支したヒンジ筐体３２とを備える。
【００２９】
ディスプレイ軸３０は、一端部が取付板（図示なし）を介してディスプレイ筐体１４に固定されることで該ディスプレイ筐体１４と一体的に回転する。本体軸３１は、一端部が取付板（図示なし）を介して本体筐体１６に固定されることで該本体筐体１６と一体的に回転する。
【００３０】
本実施形態の場合、ディスプレイ軸３０と本体軸３１との間は図示しない歯車機構を介して連結され、互いの回転が同期する。これにより、本体筐体１６に対してディスプレイ筐体１４を回動させると、ディスプレイ軸３０および本体軸３１は０度位置から３６０度位置まで同期して回転する（図２〜図５参照）。
【００３１】
この際、本体筐体１６側の本体軸３１を基準とすると、ヒンジ筐体３２が図２に示す位置から図５に示す位置まで１８０度回動する。そして、本体筐体１６内の２極ホールセンサ４２は、磁石４１が本体筐体１６の表面１６ａ側（本体筐体１６とディスプレイ筐体１４の表面１６ａ、１４ａ同士が対面する０度位置）にある状態と、本体筐体１６の裏面１６ｂ側（本体筐体１６とディスプレイ筐体１４の裏面１６ｂ、１４ｂ同士が対面する３６０度位置）にある状態と、をそれぞれ検出し、本体筐体１６がディスプレイ筐体１４に対して０度位置の状態にあるか、３６０度位置の状態にあるかを認識する。なお、本実施形態において磁石４１および２極ホールセンサ４２は、前後方向において同一面上に配設されており、図６および図７に示す断面において本体筐体１６およびディスプレイ筐体１４が重なる方向に対して交差する方向に配設されている。
【００３２】
以上のような構成とされた本実施形態に係る携帯用情報機器１０においては、ディスプレイ筐体１４内には、磁石４１が配設され、本体筐体１６内には、磁石４１が０度位置にある状態と３６０度位置にある状態とをそれぞれ検出可能な２極ホールセンサ４２が配設されているので、２つの状態を検出できる。そして、例えば、２極ホールセンサ４２により、本体筐体１６とディスプレイ筐体１４の表面１６ａ、１４ａ同士が対面する０度位置にある状態を閉じている状態と認識して画面をオフにしたり、本体筐体１６とディスプレイ筐体１４の裏面１６ｂ、１４ｂ同士が対面する３６０度位置にある状態を、タッチパネル（ディスプレイ１８）を操作するモードと認識してキーボード２０の操作をオフにしたりする制御を行うことができる。
【００３３】
このように２極ホールセンサ４２を用いることにより、Ｎ極とＳ極とをそれぞれ読み取るホールセンサを２つ配置する必要がないので、ディスプレイ筐体１４内の空間を広く確保できるとともにコストを低減可能である。また、この場合、一つの磁石４１で前述した２つの状態を認識できるので、コストを低減できる。
【００３４】
また、磁石４１は、ディスプレイ筐体１４内の外周縁部に配設されているので、ディスプレイ筐体１４内の収容空間を広くできるとともに、磁石４１の磁場による液晶への影響を低減できる。また、２極ホールセンサ４２は、本体筐体１６内の基板４３に配置することができるので、新たな部材を設けることなく筐体内に配設可能である。
【００３５】
なお、本発明は、上記した実施形態に限定されるものではなく、本発明の主旨を逸脱しない範囲で自由に変更できることは勿論である。
【００３６】
上記実施形態では、ディスプレイ筐体１４内に磁石４１が配設され、本体筐体１６内に２極ホールセンサ４２が配設されている場合について説明したが、ディスプレイ筐体内に２極ホールセンサが配設され、本体筐体内に磁石が配設された構成であってもよい。
【００３７】
また、上記実施形態では、磁石４１（被検出体）と２極ホールセンサ４２によって、本体筐体１６とディスプレイ筐体１４の２つの位置の状態を読み取る場合について説明したが、これに限定されるものではなく、他の被検出体と２極センサを用いてもよい。
【符号の説明】
【００３８】
１０  携帯用情報機器
１２Ｌ，１２Ｒ  ヒンジ機構
１４  ディスプレイ筐体
１４ａ，１６ａ  表面
１４ｂ，１６ｂ  裏面
１６  本体筐体
１８  ディスプレイ
２０  キーボード
２１  タッチパッド
２８  固定脚部
３０  ディスプレイ軸
３１  本体軸
３２  ヒンジ筐体
４１  磁石（被検出体）
４２  ２極ホールセンサ（２極センサ）
４３  基板（回路基板） 
【図１】
2017054353.tif 000003
【図２】
2017054353.tif 000004
【図３】
2017054353.tif 000005
【図４】
2017054353.tif 000006
【図５】
2017054353.tif 000007
【図６】
2017054353.tif 000008
【図７】
2017054353.tif 000009